【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
ユーザ機器(UE)において、連続パケット接続(CPC)および専用チャネル(DCH)拡張が設定されているときに、不連続送信(DTX)を実行するための方法であって、
第1の期間中に前記UEにおいて前記CPCに関連して前記DTXが許可されているか否かを特定するステップと、
第2の期間中に前記UEにおいて前記DCH拡張に関連して前記DTXが許可されているか否かを判断するステップと、
少なくとも部分的に、前記第1の期間および前記第2の期間が前記DTXを許可しているときに、第3の期間中に前記UEにおいて前記DTXを実行するステップであって、前記第3の期間は、前記CPCの前記DTXおよび前記DCH拡張の前記DTXの両方の間に重なりが存在する持続時間である、ステップと、
前記CPCの前記DTXおよび前記DCH拡張の前記DTXの両方の間に重なりが存在しない持続時間中に送信を許可するステップとを含む、方法。
【請求項２】
前記第3の期間中にダウンリンク専用物理制御チャネル(DL DPCCH)上で送信電力制御(TPC)ビットを受信するステップをさらに含み、前記第3の期間はフラクショナル専用物理チャネル(F-DPCH)を受信するのと同じ期間である、請求項1に記載の方法。
【請求項３】
前記CPCは2msの送信時間間隔(TTI)を用いて設定され、前記DCH拡張は10msTTIを用いて設定される、請求項1に記載の方法。
【請求項４】
前記特定するステップは、前記UEがアップリンク専用物理制御チャネル(UL DPCCH)の前記DTXを実行しているか否かに基づく、請求項1に記載の方法。
【請求項５】
前記特定するステップおよび前記判断するステップは、前記UEのリリース番号または無線アクセス能力に基づく、請求項1に記載の方法。
【請求項６】
前記実行するステップは、前記第3の期間中に前記UEにおいてすべてのアップリンクチャネルの前記DTXを実行するステップを含む、請求項1に記載の方法。
【請求項７】
前記第3の期間中に前記UEにおいて前記CPCに関連して不連続受信(DRX)が許可されているか否かを特定するステップと、
前記第3の期間中に前記UEにおいて前記DCH拡張に関連して前記DRXが許可されているか否かを判断するステップと、
前記CPCおよび前記DCH拡張の両方が前記DRXを許可しているときに、前記第3の期間中に前記UEにおいて前記DRXを実行するステップとをさらに含む、請求項1に記載の方法。
【請求項８】
ユーザ機器(UE)において、連続パケット接続(CPC)および専用チャネル(DCH)拡張が設定されているときに、不連続送信(DTX)を実行するための装置であって、
第1の期間中に前記UEにおいて前記CPCに関連して前記DTXが許可されているか否かを特定するための手段と、
第2の期間中に前記UEにおいて前記DCH拡張に関連して前記DTXが許可されているか否かを判断するための手段と、
少なくとも部分的に、前記第1の期間および前記第2の期間が前記DTXを許可しているときに、第3の期間中に前記UEにおいて前記DTXを実行するための手段であって、前記第3の期間は、前記CPCの前記DTXおよび前記DCH拡張の前記DTXの両方の間に重なりが存在する持続時間である、手段と、
前記CPCの前記DTXおよび前記DCH拡張の前記DTXの両方の間に重なりが存在しない持続時間中に送信を許可するための手段とを備える、装置。
【請求項９】
前記第3の期間中にダウンリンク専用物理制御チャネル(DL DPCCH)上で送信電力制御(TPC)ビットを受信するための手段をさらに備え、前記第3の期間はフラクショナル専用物理チャネル(F-DPCH)を受信するのと同じ期間である、請求項8に記載の装置。
【請求項１０】
前記特定するための手段は、前記UEがアップリンク専用物理制御チャネル(UL DPCCH)の前記DTXを実行しているか否かに基づく、請求項8に記載の装置。
【請求項１１】
前記特定するための手段および前記判断するための手段は、前記UEのリリース番号または無線アクセス能力に基づく、請求項8に記載の装置。
【請求項１２】
前記実行するための手段は、前記第3の期間中に前記UEにおいてすべてのアップリンクチャネルの前記DTXを実行するための手段を含む、請求項8に記載の装置。
【請求項１３】
前記第3の期間中に前記UEにおいて前記CPCに関連して不連続受信(DRX)が許可されているか否かを特定するための手段と、
前記第3の期間中に前記UEにおいて前記DCH拡張に関連して前記DRXが許可されているか否かを判断するための手段と、
前記CPCおよび前記DCH拡張の両方が前記DRXを許可しているときに、前記第3の期間中に前記UEにおいて前記DRXを実行するための手段とをさらに含む、請求項8に記載の装置。
【請求項１４】
ユーザ機器(UE)において、連続パケット接続(CPC)および専用チャネル(DCH)拡張が設定されているときに、不連続送信(DTX)を実行するためのコンピュータ実行可能コードを記憶するコンピュータ可読記憶媒体であって、
第1の期間中に前記UEにおいて前記CPCに関連して前記DTXが許可されているか否かを特定するためのコードと、
第2の期間中に前記UEにおいて前記DCH拡張に関連して前記DTXが許可されているか否かを判断するためのコードと、
少なくとも部分的に、前記第1の期間および前記第2の期間が前記DTXを許可しているときに、第3の期間中に前記UEにおいて前記DTXを実行するためのコードであって、前記第3の期間は、前記CPCの前記DTXおよび前記DCH拡張の前記DTXの両方の間に重なりが存在する持続時間である、コードと、
前記CPCの前記DTXおよび前記DCH拡張の前記DTXの両方の間に重なりが存在しない持続時間中に送信を許可するためのコードとを含む、コンピュータ可読記憶媒体。
【請求項１５】
前記第3の期間中にダウンリンク専用物理制御チャネル(DL DPCCH)上で送信電力制御(TPC)ビットを受信するためのコードをさらに備え、前記第3の期間はフラクショナル専用物理チャネル(F-DPCH)を受信するのと同じ期間である、請求項14に記載のコンピュータ可読記憶媒体。
【請求項１６】
前記特定するためのコードは、前記UEがアップリンク専用物理制御チャネル(UL DPCCH)の前記DTXを実行しているか否かに基づく、請求項14に記載のコンピュータ可読記憶媒体。
【請求項１７】
前記特定するためのコードおよび前記判断するためのコードは、前記UEのリリース番号または無線アクセス能力に基づく、請求項14に記載のコンピュータ可読記憶媒体。
【請求項１８】
前記実行するためのコードは、前記第3の期間中に前記UEにおいてすべてのアップリンクチャネルの前記DTXを実行するためのコードを含む、請求項14に記載のコンピュータ可読記憶媒体。
【請求項１９】
前記第3の期間中に前記UEにおいて前記CPCに関連して不連続受信(DRX)が許可されているか否かを特定するためのコードと、
前記第3の期間中に前記UEにおいて前記DCH拡張に関連して前記DRXが許可されているか否かを判断するためのコードと、
前記CPCおよび前記DCH拡張の両方が前記DRXを許可しているときに、前記第3の期間中に前記UEにおいて前記DRXを実行するためのコードとをさらに含む、請求項14に記載のコンピュータ可読記憶媒体。
【請求項２０】
ユーザ機器(UE)において、連続パケット接続(CPC)および専用チャネル(DCH)拡張が設定されているときに、不連続送信(DTX)を実行するための装置であって、
メモリと、
前記メモリに結合される、少なくとも1つのプロセッサであって、
第1の期間中に前記UEにおいて前記CPCに関連して前記DTXが許可されているか否かを特定することと、
第2の期間中に前記UEにおいて前記DCH拡張に関連して前記DTXが許可されているか否かを判断することと、
少なくとも部分的に、前記第1の期間および前記第2の期間が前記DTXを許可しているときに、第3の期間中に前記UEにおいて前記DTXを実行することであって、前記第3の期間は、前記CPCの前記DTXおよび前記DCH拡張の前記DTXの両方の間に重なりが存在する持続時間である、ことと、
前記CPCの前記DTXおよび前記DCH拡張の前記DTXの両方の間に重なりが存在しない持続時間中に送信を許可することと
を行うように構成される、少なくとも1つのプロセッサとを備える、装置。
【請求項２１】
前記第3の期間中にダウンリンク専用物理制御チャネル(DL DPCCH)上で送信電力制御(TPC)ビットを受信するようにさらに構成され、前記第3の期間はフラクショナル専用物理チャネル(F-DPCH)を受信するのと同じ期間である、請求項20に記載の装置。
【請求項２２】
前記CPCは2msの送信時間間隔(TTI)を用いて設定され、前記DCH拡張は10msTTIを用いて設定される、請求項20に記載の装置。
【請求項２３】
前記少なくとも1つのプロセッサは、前記UEがアップリンク専用物理制御チャネル(UL DPCCH)の前記DTXを実行するように設定されるか否かに基づいて特定するようにさらに構成される、請求項20に記載の装置。
【請求項２４】
前記少なくとも1つのプロセッサは、前記UEのリリース番号または無線アクセス能力に基づいて特定し、判断するようにさらに構成される、請求項20に記載の装置。
【請求項２５】
前記少なくとも1つのプロセッサは、前記第3の期間中に前記UEにおいてすべてのアップリンクチャネルの前記DTXを実行するようにさらに構成される、請求項20に記載の装置。
【請求項２６】
前記少なくとも1つのプロセッサは、
前記第3の期間中に前記UEにおいて前記CPCに関連して不連続受信(DRX)が許可されているか否かを特定することと、
前記第3の期間中に前記UEにおいて前記DCH拡張に関連して前記DRXが許可されているか否かを判断することと、
前記CPCおよび前記DCH拡張の両方が前記DRXを許可しているときに、前記第3の期間中に前記UEにおいて前記DRXを実行することとを行うようにさらに構成される、請求項20に記載の装置。